(57)【特許請求の範囲】
【請求項１】
コンクリート又はコンクリートブロック製の外構構造物に外装材を取り付ける構造であって、
前記外構構造物の厚みと略同一又はそれよりも若干大きい内寸法の断面略コ字形状に形成されたベースプレートを前記外構構造物に被せ、該ベースプレートを固定手段により前記外構構造物に固定し、前記外装材を前記ベースプレートの表面に宛がった状態で取付手段により取り付けることを特徴とする外構構造物の外装材取付構造。
【請求項２】
前記ベースプレートの複数箇所を裏面側に窪ませて凹状部を形成し、前記固定手段を、前記凹状部に設けられた雌ねじ部と、この雌ねじ部に螺合される雄ねじ部材とから構成して、前記雌ねじ部に螺合した前記雄ねじ部材の先端部を前記外構構造物の外面に圧接させることを特徴とする請求項１に記載の外構構造物の外装材取付構造。
【発明の詳細な説明】
【０００１】
【発明の属する技術分野】
本発明は、コンクリート又はコンクリートブロック製の外構構造物に外装材を取り付ける外構構造物の外装材取付構造に関するものである。
【０００２】
【従来の技術】
一般に、住宅の塀や門などの外構構造物は、鉄筋コンクリート構造又はコンクリートブロックを積み上げた構造のものが多く、これら外構構造物の外表面は、コンクリート地のままか、或は、コンクリート表面に塗装を施しただけであることが多い。
【０００３】
【発明が解決しようとする課題】
しかしながら、近年、住宅の外装は、表面に立体的なエンボス化粧を施した窯業系の外壁板が取り付けられることが増加してきている。このような意匠性の高い外壁板を施工した住宅に、従来のようなコンクリート地、或は、コンクリート表面に塗装を施しただけの意匠性に乏しい外構構造物を施工したのでは、外構構造物と住宅の外装との意匠バランスが悪く、住宅全体の外観を損なってしまう。
【０００４】
この問題を解決するために、コンクリート製の外構構造物の表面にタイルを張り付けたり、モルタルを塗ったりすることで、外構構造物の意匠性を高める場合がある。しかし、このような湿式工法は、工期が長く掛かるばかりか、タイルやモルタルを平滑に仕上げる作業はかなりの熟練を要し、施工性が悪く、施工コストが高くなるという欠点がある。
【０００５】
本発明はこのような事情を考慮してなされたものであり、従ってその目的は、外構構造物の表面化粧の施工性及び外観意匠性を共に向上できる外構構造物の外装材取付構造を提供することにある。
【０００６】
【課題を解決するための手段】
上記目的を達成するために、本発明の請求項１の外構構造物の外装材取付構造は、外構構造物の厚みと略同一又はそれよりも若干大きい内寸法の断面略コ字形状に形成されたベースプレートを外構構造物に被せ、このベースプレートを固定手段により外構構造物に固定し、外装材をベースプレートの表面に宛がった状態で取付手段により取り付ける構成としたものである。
【０００７】
この構成では、ベースプレートは、断面略コ字形状に形成されているので、上方から外構構造物に被せた状態で固定手段により前後左右方向位置を規制するだけで、外構構造物に簡単に固定することができる。しかも、このベースプレートに外装材を取り付ければ良いため、住宅の外装に用いるのと同じ外装材を乾式工法で簡単に取り付けることができる。
【０００８】
この場合、請求項２のように、前記ベースプレートの複数箇所を裏面側に窪ませて凹状部を形成し、前記固定手段を、凹状部に設けられた雌ねじ部と、この雌ねじ部に螺合される雄ねじ部材とから構成して、雌ねじ部に螺合した雄ねじ部材の先端部を外構構造物の外面に圧接させるようにしても良い。このようにすれば、各雌ねじ部にねじ込んだ各雄ねじ部材の先端部を外構構造物の外面に圧接させるという極めて簡単な作業で、外構構造物に被せたベースプレートを固定することができる。しかも、外構構造物の厚み寸法や表面の凹凸に対しては、各雄ねじ部材のねじ込み量を調節することで対応することができる。更に、雄ねじ部材は凹状部の雌ねじ部に螺合されているので、ベースプレートの外装材取付面に対して雄ねじ部材の頭部を凹状部の深さ分だけ内側に位置させることができ、雄ねじ部材の頭部の突出量を外装材の裏面に当らないように抑えることができる。また、ベースプレートの複数箇所を裏面側に窪ませて凹状部を形成することで、ベースプレートの凹状部以外の部分の裏面と外構構造物の外面との間に、少なくとも凹状部の深さ分の空隙ができるので、この空隙をビス等のねじ込み用スペースとして利用することができる。
【０００９】
【発明の実施の形態】
以下、本発明の一実施形態を図面に基づいて説明する。まず、図１に基づいて、本発明を適用するコンクリート製の外構構造物１１について説明する。外構構造物１１は、住宅の塀や門等として既設のもの、又は、新設されたものであり、例えば、鉄筋コンクリート構造で形成され、砂利を敷き詰めた上にコンクリートが張られた基礎１２上に立設されている。この外構構造物１１を表面化粧するための外装材１３は、例えば住宅の外装に使用されるものと同じ窯業系サイディングであり、表面に立体的なエンボス化粧が施されている。
【００１０】
以下、コンクリート製の外構構造物１１に外装材１３を取り付ける取付構造を図１乃至図４に基づいて説明する。外構構造物１１には、外装材１３取付用のベースプレート１４が被せられている。ベースプレート１４（図２参照）は、例えば亜鉛鋼板等の鋼板の折曲加工又はアルミニウムの押出し成形により断面略コ字形状に形成されている。このベースプレート１４は、上方から外構構造物１１に被せられ、外構構造物１１の上面に支持された状態で、外構構造物１１の前後面全体をほぼ覆うことができるように、外構構造物１１の高さとほぼ同じ高さ寸法に形成されている。
【００１１】
このベースプレート１４の前後の外装材取付面１４ａには、該外装材取付面１４ａを裏面側に窪ませた凹状部１５が、複数本、水平方向に延びるように形成されている。ベースプレート１４は、その内寸法が小さい場所（凹状部１５の裏面間）でも、外構構造物１１の厚みよりも若干大きい寸法となるように形成されている。
【００１２】
また、各凹状部１５には、ナット等の雌ねじ部１６が、所定の間隔で一列に溶接により取り付けられている。各雌ねじ部１６には、雄ねじ部材であるセットビス１７が螺合され、各セットビス１７は、その先端部が外構構造物１１の外面に圧接するようにねじ込まれている。尚、各セットビス１７には、緩み止め用のナット１８が螺合され、このナット１８が雌ねじ部１６に当接するまで締め付けられている。これら雌ねじ部１６とセットビス１７とから固定手段が構成されている。
【００１３】
そして、図３に示すように、ベースプレート１４の外装材取付面１４ａに、外装材１３が宛がわれ、上下に隣接する外装材１３の雄実部１９と雌実部２０を嵌合させた状態で、これら雌雄の実部１９，２０が取付手段である留付金具２１によりベースプレート１４に固定されている。留付金具２１は、例えば鋼板の折曲加工又はアルミニウムの押出し成形により形成され、留付金具２１の上部には、取付片部２２が形成され、この取付片部２２がベースプレート１４に宛がわれてビス２３又はタッピングネジ等により取付固定されている。また、留付金具２１の下部には、下方の外装材１３の雄実部１９を係止する下係止片部２４と、上方の外装材１３の雌実部２０を係止する上係止片部２５とが形成され、下係止片部２４が下方の外装材１３の雄実部１９に嵌合され、上係止片部２５が上方の外装材１３の雌実部２０に嵌合されている。
【００１４】
また、ベースプレート１４の上端部には、図４に示すように、外装材１３と同じ材料で断面略コ字形状に形成された笠木２６が被せられ、その両端に形成された雌実部２７が最上の外装材１３の雄実部１９に嵌合されている。ベースプレート１４の上面と笠木２６との間には、接着剤２８が充填されている。
【００１５】
次に、外構構造物１１を外装材１３で表面化粧する施工手順を説明する。まず、施工しようとする外構構造物１１の上方からベースプレート１４を被せ、外構構造物１１の上面にベースプレート１４を支持させる。ベースプレート１４の内寸法は、外構構造物１１の厚みよりも若干大きいので、外構構造物１１の表面に凹凸があったり、厚み寸法に多少のばらつきがあっても、外構構造物１１にベースプレート１４をスムーズに被せることができる。
【００１６】
そして、各雌ねじ部１６に、ナット１８を螺合させたセットビス１７をねじ込み、例えば下げ振り２９（図２参照）を用いてベースプレート１４の外装材取付面１４ａの鉛直度を調整しながら、各セットビス１７を適宜ねじ込んでその先端部を外構構造物１１の外面に圧接させることで、ベースプレート１４の前後左右位置を調整し、ベースプレート１４を外構構造物１１に固定する。この状態で、ナット１８を雌ねじ部１６に当接させるまで締め付けて、セットビス１７の緩み止めをしておく。尚、セットビス１７は、予め、ベースプレート１４の製造工場で、或は、施工現場で、各雌ねじ部１６に螺合しておいても良い。また、風圧等により、ベースプレート１４の下方部が外側に広がってしまう恐れがある場合には、例えばコ字形の金具等を用いて、側方からベースプレート１４を挟み込むようにしても良い。
【００１７】
この場合、施工箇所によって外構構造物１１の厚み寸法が多少異なったり、外構構造物１１の表面に凹凸があっても、各セットビス１７のねじ込み量を調節することで簡単に対応することができる。また、セットビス１７は凹状部１５の雌ねじ部１６に螺合されているので、外装材取付面１４ａに対してセットビス１７の頭部の突出量を外装材１３の裏面に当らないように抑えることができ、セットビス１７と外装材１３の裏面が干渉して、外装材１３の取付に支障が生じることを防止することができる。
【００１８】
この後、ベースプレート１４に外装材１３を取り付ける場合には、次のようにして外装材１３を下側から順番に積み上げるようにしてベースプレート１４に取り付ける。まず、ベースプレート１４の下端部に、留付金具２１をビス止めし、この留付金具２１に、外装材１３の下辺側の雌実部２０を支持させる。この外装材１３の上辺側の雄実部１９に、他の留付金具２１の下係止片部２４を係止させ、この留付金具２１の取付片部２２をビス２３等でベースプレート１４に取り付けた後、この留付金具２１の上係止片部２５に他の外装材１３の下辺側の雌実部２０を係止させて支持させる。この作業を繰り返すことにより各外装材１３を下側から順番に積み上げるようにしてベースプレート１４に取り付ける。この際、留付金具２１は各実部１９，２０についてそれぞれ複数箇所に用いられる。
【００１９】
この場合、ベースプレート１４に凹状部１５を形成したことにより、外装材取付面１４ａの裏面と外構構造物１１の外面との間には、少なくとも凹状部１５の深さ分の空隙ができるため、この空隙が留付金具２１を取り付けるビス２３等のねじ込み用スペースとなり、ビス２３等を容易にねじ込むことが可能となっている。
【００２０】
外装材１３をベースプレート１４の上部まで取り付けたら、笠木２６の両端面を、最上の外装材１３の雄実部１９に嵌合できるように鉋等の工具で切削加工するか、或は、最上の外装材１３の雄実部１９を、笠木２６に嵌合できるように、鉋等の工具で切削加工し、ベースプレート１４の上面に接着剤２８を塗布した後に、該笠木２６を上方から被せて接着すれば、外装材１３の施工が完了する。
【００２１】
このようにすれば、住宅の外装に用いるのと同じ意匠性に富んだ外装材１３を外構構造物１１に取り付けることができるため、外構構造物１１と住宅の外装との外観意匠のバランスが良くなり、住宅全体の外観を向上させることができる。しかも、外装材１３を乾式工法で取り付けることができるので、従来のタイル施工やモルタル施工等の湿式工法に比べて、工期を短縮できると共に、熟練技術を必要とせず、施工性が向上し、施工コストを安くすることができる。また、外装材１３を張り替えることも可能である。
【００２２】
尚、上記実施形態では、本発明の取付構造を、鉄筋コンクリート構造の外構構造物１１に適用したが、これ以外に、例えばコンクリートブロックを積み上げた構造の外構構造物など、他のコンクリート製の外構構造物に、本発明の取付構造を適用しても良いことはいうまでもない。
【００２３】
また、上記実施形態では、ベースプレート１４は、その内寸法が外構構造物１１の厚みよりも若干大きい寸法となるように形成したが、施工しようとする外構構造物１１の厚み寸法のばらつきが少なく、厚み寸法がほぼ一定の場合など、施工性に問題がないような場合、ベースプレート１４の内寸法を外構構造物１１の厚みと略同一となるように形成しても良い。この場合でも、ベースプレート１４を適当に弾性変形させながら外構構造物１１に押し込むようにすれば、ベースプレート１４を容易に外構構造物１１に被せることができる。また、ベースプレート１４の左右方向の長さは、施工する外構構造物１１の大きさやベースプレート１４自身の取扱性等に応じて適宜変更すれば良い。
【００２４】
更に、上記実施形態では、凹状部１５は、水平方向に延びるように形成されているが、凹状部１５の形状は、これに限らず、例えば、垂直方向に延びるように複数本、形成したり、或は、円形や方形のものを複数箇所に形成するようにしたりしても良い。
【００２５】
また、上記実施形態では、外装材１３をベースプレート１４に取り付ける取付手段として留付金具２１を用いたが、これ以外に、ビスやタッピングネジで外装材１３をベースプレート１４に取り付けるようにしても良い。
【００２６】
【発明の効果】
以上の説明から明らかなように、本発明の請求項１の外構構造物の外装材取付構造によれば、外構構造物にベースプレートを被せて固定し、このベースプレートに外装材を取り付けるようにしたので、住宅の外装に用いるのと同じ意匠性の高い外装材を乾式工法で簡単に外構構造物に取り付けることができ、外構構造物ひいては住宅全体の外観意匠性を向上できると共に、外構構造物の表面化粧の施工性向上による施工コスト低減も実現することができる。
【００２７】
また、請求項２では、雌ねじ部に螺合した雄ねじ部材の先端部を外構構造物の外面に圧接させることで、ベースプレートを外構構造物に固定するようにしたので、ベースプレートの固定作業を極めて簡単化することができると共に、外構構造物の厚み寸法の差異や表面の凹凸に対応することができ、施工性をより向上させることができる。更に、雄ねじ部材は凹状部の雌ねじ部に螺合されているので、雄ねじ部材と外装材の裏面が干渉せず、外装材の取り付けに支障が生じることを未然に防止できる。また、ベースプレートに凹状部を形成することで、ベースプレートの裏面と外構構造物との間に空隙ができるので、この空隙をビス等のねじ込み用スペースとすることができ、ビス等のねじ込み作業を容易にすることができる。
【図面の簡単な説明】
【図１】本発明の一実施形態を示す外構構造物の外装材取付構造の縦断側面図
【図２】ベースプレートの部分斜視図
【図３】外装材の施工方法を説明するための要部の部分拡大縦断側面図
【図４】笠木の施工方法を説明するための要部の部分拡大縦断側面図
【符号の説明】
１１…外構構造物、１３…外装材、１４…ベースプレート、１４ａ…外装材取付面、１５…凹状部、１６…雌ねじ部（固定手段）、１７…セットビス（雄ねじ部材，固定手段）、１８…ナット、１９…雄実部、２０…雌実部、２１…留付金具（取付手段）、２２…取付片部、２３…ビス、２４…下係止片部、２５…上係止片部。
【図１】
0003781152.tif 000002
【図２】
0003781152.tif 000003
【図３】
0003781152.tif 000004
【図４】
0003781152.tif 000005